(57)【要約】【課題】メールアドレスの入力をする場合や、ホームページのアドレス入力は、複雑で間違う事が多く、ホームページからデータやソフトウェアをダウンロードする時はダウンロード方法がわからない事やダウンロードする場所がわからない事が多い。また、検索で探す時に見つからないことや類似関連との勘違い目的のホームページを見つけづらいことがある。ネットショッピングの際、住所等の個人情報は入力ミスや、入力の面倒さから、買い物を面倒くさがる人もいる。【解決手段】予め登録管理され、数字だけで見やすく、入力しやすいジャンパーコードを入力することにより、目的のホームページを直接アクセスできたり、アドレス帳に登録されていないメールへの「メッセージ作成」ができたり、直接ダウンロードができるたり、あらかじめ登録しておいたデータから、個人情報の入力等の手間が省けるようになる。【選択図】図２
2013097776.tif 000002
【特許請求の範囲】
【請求項１】
インターネット使用の際、ソフトやホームページから、ジャンパーコードを入力し、ホームページへの直接アクセスや、アドレス帳に登録されていないメールへの「メッセージ作成」、ソフトウェア・データ（映像・画像・音楽・文書の様にダウンロードするもの）のダウンロードを行う。
【請求項２】
インターネット使用の際、ソフトやホームページから、ジャンパーコードとパスワードを入力した後、ホームページへのアクセスや、アドレス帳に登録されていないメールへの「メッセージ作成」、ソフトウェア・データ（映像・画像・音楽・文書の様にダウンロードするもの）のダウンロードを行う。
【発明の詳細な説明】
【技術分野】
【０００１】本発明はインターネット使用の際、ジャンパーコード（ＪｕｍｐｅｒＣＯＤＥ）と呼ばれる見やすい行列にわかれ、数字だけで構成されたコードの入力を行い、登録されたホームページへのアクセスや、ソフトウェア・データ（映像・画像・音楽・文書他）のダウンロードを直接行なえ、メールアドレスの入力もせずにメールを作成でき、あらかじめ登録しておいた反映させたいデータの入力をコード入力のみで反映できます。
また、パスワード設定も行い、個人情報や機密情報も守れます。
【背景技術】
【０００２】現在、パソコン・携帯電話・ゲーム機・家電でのインターネット使用頻度は年々高くなってきています。インターネットを接続する時間も増加しているなか、インターネットで、新たなホームページの閲覧の際の検索や直アドレスの入力、ソフトウェア等のダウンロードの為の検索や直アドレスの入力、アドレス帳に登録していないメールアドレスの入力は、正直簡単ではない。
原因は、ＵＲＬ文字列とメールアドレスの複雑さにあります。
【発明が解決しようとする課題】
【０００３】この発明は、ホームページやダウンロードをする際のアクセスや、メール送信の際のアドレス帳に登録されていない等で直接メールアドレスを入力する際に、間違うことなくメールアドレスを入力でき、入力するコードも行わけすることにより、見間違うこともなく、簡単で速く対応できる、ジャンパーコードを提供することを課題とする。
【課題を解決するための手段】
【０００４】インターネット使用の際、ソフト、アプリやホームページから、見やすい行列にわかれ、数字だけで構成されたジャンパーコードを入力し長い文面である、ホームページのアドレスや、アドレス帳に登録されていないメールアドレス、個人情報等、データやアドレス入力の手間を省き、。
【発明の効果】
【０００５】本発明によるジャンパーコードを使って、ホームページのアクセスや新規等のメールアドレス入力、ダウンロードをするのは、従来と違い入力間違いが無く、簡単で速く、コードも見やすく、コードの見間違いも行わけすることによりまずおきない。
個人情報等のデータも登録しておけば、入力ミスと手間を省ける。
また、パスワードを設定すれば個人情報や機密事項を守ることも可能である。
【図面の簡単な説明】
【０００６】
【図１】従来技術による、ホームページ閲覧を表す説明図。フローチャート。
【図２】本発明のシステムを表す説明図。
【図３】本発明によるホームページ閲覧でのシステムを表す説明図。
【図４】本発明によるメールアドレスでのシステムを表す説明図。
【図５】本発明によるダウンロードのシステムを表す説明図。
【図６】本発明によるデータ反映のシステムを表す説明図。
【図７】ジャンパーコード登録・変更・削除のしくみを表す図。
【産業上の利用可能性】
【０００８】本発明によるジャンパーコードを使うことにより、インターネットに不向きな方や、インターネットを懸念している方も利用しやすくなるだけでなく、簡単なソフトウェアのアップデート、試用版ソフトの利用性アップ、新規顧客等でのメールアドレス入力ミスがなくなり、インターネット販売利用性アップにより、パソコン等が売れ、景気も良くなる。
パスワードを設けることにより、個人情報の保護だけでなく、産業・商業でのデータや資料、マニュアル等のダウンロードにもセキュリティ付きで適用できます。
【発明を実施するための形態】
【０００９】以下、本発明を図の具体例を用いて詳細に説明する。
【実施例１】ホームページを閲覧する場合、目的のホームページのジャンパーコードを、端末よりソフトウェアやホームページから入力します。
入力後、目的のホームページが表示されます。
セキュリティを考え、パスワード対応も可能です。
また、買い物をする場合、雑誌やコマーシャルにて、目的の商品の載っているジャンパーコードを、端末よりソフトウェアやホームページから入力する事により、入力後、目的のホームページが表示され、簡単に買い物ができます。
図３参照
【実施例２】あらかじめ登録しておいたデータを反映する場合、買い物をする場合等で、個人情報を入力する際、自身の個人情報の登録してあるジャンパーコードを、買い物画面等から入力する事により、入力後、住所や電話番号等のデータが反映され、簡単に買い物ができます。
セキュリティを考え、パスワード対応も可能です。
図６参照
【実施例３】ソフトウェアやデータを、ダウンロードする場合、目的のファイルがあるジャンパーコードを端末よりソフトウェアやホームページから入力します。
入力後、ダウンロード画面が表示されます。
セキュリティを考え、パスワード対応も可能です。
図５参照
【実施例４】メールアドレスへ「メッセージ作成」する場合、目的のメールアドレスを登録してあるジャンパーコードを端末よりソフトウェアやホームページから入力します。
入力後、新規メールでの「メッセージ作成」画面が表示されます。
個人情報とセキュリティを考え、パスワード対応も可能です。
図４参照
【実施例５】ジャンパーコードの登録と変更、削除
ジャンパーコードは、先に番号を取得した方が優先になります。
ジャンパーコードは、取得する会社の電話番号や、取得する会社に由来のある数字等で構成でき、アクセスや宣伝もしやすく、入力も簡単です。登録・変更・削除の方法は専用のＷｅｂサイトから直接、又は管理会社へメール・ＦＡＸ・郵送等での登録依頼となります。
図７参照
【図１】
2013097776.tif 000003
【図２】
2013097776.tif 000004
【図３】
2013097776.tif 000005
【図４】
2013097776.tif 000006
【図５】
2013097776.tif 000007
【図６】
2013097776.tif 000008
【図７】
2013097776.tif 000009